(57)【要約】【課題】便利且つ迅速にコンテンツデータを検索できる移動通信端末機を提供する。【解決手段】移動通信端末機は、折り畳み部またはスライダー、そして折り畳み部またはスライダーの表面に設けられる入力部を備える。特に、入力部は、メモリーに格納されているコンテンツデータをスクロールするための信号を発生させる少なくとも一つの機能キーを有する。入力部は、折り畳み部の前面と後面のうち少なくとも一面に設けられ得る。移動通信端末機は、検索されたコンテンツデータを音声信号に変換して外部に出力する少なくとも一つのスピーカーをさらに備え得る。【選択図】図１
2007082203.tif 000002
【特許請求の範囲】
【請求項１】
折り畳み部と、
本体、
前記本体に対して前記折り畳み部が折り畳まれるか展開されるようにするヒンジ部と、
複数のコンテンツデータを格納するメモリーと、
前記折り畳み部の表面に設けられ、前記格納されたコンテンツデータをスクロールするための信号を発生させる少なくとも一つの機能キーを有する入力部と、
を備える、移動通信端末機。
【請求項２】
前記入力部は、前記折り畳み部の前面と後面のうち少なくとも一面に設けられることを特徴とする、請求項１に記載の移動通信端末機。
【請求項３】
検索されたコンテンツデータを音声信号に変換して外部に出力する少なくとも一つのスピーカーをさらに備えることを特徴とする、請求項１に記載の移動通信端末機。
【請求項４】
前記機能キーは、加速信号を発生させる少なくとも一つの加速キーを有し、
前記加速信号に応じて、あらかじめ設定された速度よりも高い速度で、前記格納されたコンテンツデータをスクロールする制御部をさらに備えることを特徴とする、請求項１に記載の移動通信端末機。
【請求項５】
前記制御部は、前記加速キーが活性化する場合に、ページ単位に、前記格納されたコンテンツデータをスクロールすることを特徴とする、請求項４に記載の移動通信端末機。
【請求項６】
前記加速キーは、突出部材と凹凸部材のうち少なくとも一つからなることを特徴とする、請求項４に記載の移動通信端末機。
【請求項７】
前記機能キーは、スクロール方向信号を発生させる検索キーを有し、
前記スクロール方向信号に基づく方向に、前記格納されたコンテンツデータをスクロールする制御部をさらに備えることを特徴とする、請求項１に記載の移動通信端末機。
【請求項８】
前記折り畳み部の前面と後面のうち少なくとも一面に形成されるディスプレイをさらに備えることを特徴とする、請求項１に記載の移動通信端末機。
【請求項９】
前記入力部は、複数のセンサーを備え、活性化した前記センサーの個数または順序に基づく信号を発生させ、
前記信号に基づく方向に複数のコンテンツデータをスクロールしたり、前記信号に基づいて、あらかじめ設定された速度よりも高い速度で、前記格納されたコンテンツデータをスクロールする制御部をさらに備えることを特徴とする、請求項１に記載の移動通信端末機。
【請求項１０】
前記機能キーは、確認キーと検索方向キーのうち少なくとも一つを有し、
前記確認キーは、検索されたコンテンツデータを実行させるための信号を発生させ、
前記検索方向キーは、スクロール方向を設定するための信号を発生させることを特徴とする、請求項１に記載の移動通信端末機。
【請求項１１】
スライダーと、
前記スライダーの後面に結合される本体と、
前記スライダーと前記本体との間に配備され、前記本体から前記スライダーをスライディングさせるスライド部と、
複数のコンテンツデータを格納するメモリーと、
前記スライダーの表面に形成され、前記格納されたコンテンツデータをスクロールするための信号を発生させる少なくとも一つの機能キーを有する入力部と、
を備える、移動通信端末機。
【請求項１２】
前記入力部は、前記スライダーの前面と側面のうち少なくとも一面に備えられることを特徴とする、請求項１１に記載の移動通信端末機。
【請求項１３】
検索されたコンテンツデータを音声信号に変換して外部に出力する少なくとも一つのスピーカーをさらに備えることを特徴とする、請求項１１に記載の移動通信端末機。
【請求項１４】
前記機能キーは、加速信号を発生させる少なくとも一つの加速キーを有し、
前記加速信号に応じて、あらかじめ設定された速度よりも高い速度で、前記格納されたコンテンツデータをスクロールする制御部をさらに備えることを特徴とする、請求項１１に記載の移動通信端末機。
【請求項１５】
前記制御部は、前記加速キーが活性化する場合に、ページ単位に、前記格納されたコンテンツデータをスクロールすることを特徴とする、請求項１４に記載の移動通信端末機。
【請求項１６】
前記加速キーは、突出部材と凹凸部材のうち少なくとも一つからなることを特徴とする、請求項１４に記載の移動通信端末機。
【請求項１７】
前記機能キーは、スクロール方向信号を発生させる検索キーを有し、
前記スクロール方向信号に基づく方向に、前記格納されたコンテンツデータをスクロールする制御部をさらに備えることを特徴とする、請求項１１に記載の移動通信端末機。
【請求項１８】
前記スライダーの前面に設けられるディスプレイをさらに備えることを特徴とする、請求項１１に記載の移動通信端末機。
【請求項１９】
前記入力部は、複数のセンサーを有し、活性化した前記センサーの個数または順序に基づく信号を発生させ、
前記信号に基づく方向に、複数のコンテンツデータをスクロールしたり、前記信号に基づいて、あらかじめ設定された速度より高い速度で、前記格納されたコンテンツデータをスクロールする制御部をさらに備えることを特徴とする、請求項１１に記載の移動通信端末機。
【請求項２０】
前記機能キーは、確認キーと検索方向キーのうち少なくとも一つを有し、
前記確認キーは、検索されたコンテンツデータを実行させるための信号を発生させ、
前記検索方向キーは、スクロール方向を設定するための信号を発生させることを特徴とする、請求項１１に記載の移動通信端末機。
【発明の詳細な説明】
【技術分野】
【０００１】
本発明は、移動通信端末機に係り、より詳細には、コンテンツをスクロールする機能を有する移動通信端末機に関する。
【背景技術】
【０００２】
一般に、移動通信端末機は、移動通信端末機は、ディスプレイ、キーパッド、スピーカー及びマイクを備えてなる。
【０００３】
したがって、使用者は、キーパッドに備えられた一定のキーを用いて、移動通信端末機に格納されているコンテンツデータを検索できる。このとき、コンテンツデータの検索過程は、ディスプレイ部に表示される。移動通信端末機に格納されたコンテンツデータは、移動通信端末機の機能を制御するためのメニューの他、移動通信端末機に格納されているファイル、すなわち、メッセージ、ＭＰ３ファイル、イメージデータなどを意味する。
【０００４】
なお、移動通信端末機の使用者は、上、下、左、右を表す４個の方向キーのうち少なくとも一つを用いて、移動通信端末機に格納されている多様なコンテンツデータから、実行したいコンテンツデータを検索できる。このとき、方向キーは、１回タッチにつきコンテンツデータを１回スクロール（Ｓｃｒｏｌｌ）することによって検索を行う。
【０００５】
例えば、移動通信端末機の使用者は、実行しようとするコンテンツデータを検索するために下方向に２回、右方向に３回移動するべき場合に、下方向キーを２回入力した後に右方向キーを３回入力することによって、実行しようとするコンテンツデータを検索できる。
【０００６】
なお、ディスプレイ部は、上、下、左、右を表す４個の方向キーによって入力された方向信号に応じて、その移動通信端末機に格納されている多数のコンテンツデータから、実行しようとするコンテンツデータを検索する過程を表示するだけでなく、検索されたコンテンツデータを表示する。
【発明の開示】
【発明が解決しようとする課題】
【０００７】
しかしながら、上記の従来発明による移動通信端末機では、実行しようとするコンテンツデータを検索するために方向キーをいちいち操作しなければならない不便さがあった。
【０００８】
また、従来の移動通信端末機では、スクロール方向を設定するために方向キーをいちいち操作しなければならず、格納された多様なコンテンツデータから、実行しようとするコンテンツデータを検索するのに時間がかかるという問題もあった。
【０００９】
本発明は上記の問題点を解決するためのもので、その目的は、使用者のタッチを認識することによって便利にコンテンツデータを検索できる移動通信端末機を提供することにある。
【００１０】
また、本発明の他の目的は、格納されているコンテンツデータから、実行しようとするコンテンツデータを迅速に検索できる移動通信端末機を提供することにある。
【課題を解決するための手段】
【００１１】
上記目的を達成するために、本発明に係る移動通信端末機は、折り畳み部と、本体、前記本体に対して前記折り畳み部が折り畳まれるか展開されるようにするヒンジ部と、複数のコンテンツデータを格納するメモリーと、前記折り畳み部の表面に設けられ、前記格納されたコンテンツデータをスクロールするための信号を発生させる少なくとも一つの機能キーを有する入力部と、を備える。
【００１２】
また、上記目的を達成するために、本発明に係る移動通信端末機は、スライダーと、前記スライダーの後面に結合される本体と、前記スライダーと前記本体との間に配備され、前記本体から前記スライダーをスライディングさせるスライド部と、複数のコンテンツデータを格納するメモリーと、前記スライダーの表面に形成され、前記格納されたコンテンツデータをスクロールするための信号を発生させる少なくとも一つの機能キーを有する入力部と、を備える。
【００１３】
上記目的を達成するために、本発明は、例えば、以下の手段を提供する。
【００１４】
（項目１）
折り畳み部と、
本体、
前記本体に対して前記折り畳み部が折り畳まれるか展開されるようにするヒンジ部と、
複数のコンテンツデータを格納するメモリーと、
前記折り畳み部の表面に設けられ、前記格納されたコンテンツデータをスクロールするための信号を発生させる少なくとも一つの機能キーを有する入力部と、
を備える、移動通信端末機。
【００１５】
（項目２）
前記入力部は、前記折り畳み部の前面と後面のうち少なくとも一面に設けられることを特徴とする、項目１に記載の移動通信端末機。
【００１６】
（項目３）
検索されたコンテンツデータを音声信号に変換して外部に出力する少なくとも一つのスピーカーをさらに備えることを特徴とする、項目１に記載の移動通信端末機。
【００１７】
（項目４）
前記機能キーは、加速信号を発生させる少なくとも一つの加速キーを有し、
前記加速信号に応じて、あらかじめ設定された速度よりも高い速度で、前記格納されたコンテンツデータをスクロールする制御部をさらに備えることを特徴とする、項目１に記載の移動通信端末機。
【００１８】
（項目５）
前記制御部は、前記加速キーが活性化する場合に、ページ単位に、前記格納されたコンテンツデータをスクロールすることを特徴とする、項目４に記載の移動通信端末機。
【００１９】
（項目６）
前記加速キーは、突出部材と凹凸部材のうち少なくとも一つからなることを特徴とする、項目４に記載の移動通信端末機。
【００２０】
（項目７）
前記機能キーは、スクロール方向信号を発生させる検索キーを有し、
前記スクロール方向信号に基づく方向に、前記格納されたコンテンツデータをスクロールする制御部をさらに備えることを特徴とする、項目１に記載の移動通信端末機。
【００２１】
（項目８）
前記折り畳み部の前面と後面のうち少なくとも一面に形成されるディスプレイをさらに備えることを特徴とする、項目１に記載の移動通信端末機。
【００２２】
（項目９）
前記入力部は、複数のセンサーを備え、活性化した前記センサーの個数または順序に基づく信号を発生させ、
前記信号に基づく方向に複数のコンテンツデータをスクロールしたり、前記信号に基づいて、あらかじめ設定された速度よりも高い速度で、前記格納されたコンテンツデータをスクロールする制御部をさらに備えることを特徴とする、項目１に記載の移動通信端末機。
【００２３】
（項目１０）
前記機能キーは、確認キーと検索方向キーのうち少なくとも一つを有し、
前記確認キーは、検索されたコンテンツデータを実行させるための信号を発生させ、
前記検索方向キーは、スクロール方向を設定するための信号を発生させることを特徴とする、項目１に記載の移動通信端末機。
【００２４】
（項目１１）
スライダーと、
前記スライダーの後面に結合される本体と、
前記スライダーと前記本体との間に配備され、前記本体から前記スライダーをスライディングさせるスライド部と、
複数のコンテンツデータを格納するメモリーと、
前記スライダーの表面に形成され、前記格納されたコンテンツデータをスクロールするための信号を発生させる少なくとも一つの機能キーを有する入力部と、
を備える、移動通信端末機。
【００２５】
（項目１２）
前記入力部は、前記スライダーの前面と側面のうち少なくとも一面に備えられることを特徴とする、項目１１に記載の移動通信端末機。
【００２６】
（項目１３）
検索されたコンテンツデータを音声信号に変換して外部に出力する少なくとも一つのスピーカーをさらに備えることを特徴とする、項目１１に記載の移動通信端末機。
【００２７】
（項目１４）
前記機能キーは、加速信号を発生させる少なくとも一つの加速キーを有し、
前記加速信号に応じて、あらかじめ設定された速度よりも高い速度で、前記格納されたコンテンツデータをスクロールする制御部をさらに備えることを特徴とする、項目１１に記載の移動通信端末機。
【００２８】
（項目１５）
前記制御部は、前記加速キーが活性化する場合に、ページ単位に、前記格納されたコンテンツデータをスクロールすることを特徴とする、項目１４に記載の移動通信端末機。
【００２９】
（項目１６）
前記加速キーは、突出部材と凹凸部材のうち少なくとも一つからなることを特徴とする、項目１４に記載の移動通信端末機。
【００３０】
（項目１７）
前記機能キーは、スクロール方向信号を発生させる検索キーを有し、
前記スクロール方向信号に基づく方向に、前記格納されたコンテンツデータをスクロールする制御部をさらに備えることを特徴とする、項目１１に記載の移動通信端末機。
【００３１】
（項目１８）
前記スライダーの前面に設けられるディスプレイをさらに備えることを特徴とする、項目１１に記載の移動通信端末機。
【００３２】
（項目１９）
前記入力部は、複数のセンサーを有し、活性化した前記センサーの個数または順序に基づく信号を発生させ、
前記信号に基づく方向に、複数のコンテンツデータをスクロールしたり、前記信号に基づいて、あらかじめ設定された速度より高い速度で、前記格納されたコンテンツデータをスクロールする制御部をさらに備えることを特徴とする、項目１１に記載の移動通信端末機。
【００３３】
（項目２０）
前記機能キーは、確認キーと検索方向キーのうち少なくとも一つを有し、
前記確認キーは、検索されたコンテンツデータを実行させるための信号を発生させ、
前記検索方向キーは、スクロール方向を設定するための信号を発生させることを特徴とする、項目１１に記載の移動通信端末機。
【発明の効果】
【００３４】
本発明によれば、タッチパッドまたは感知センサーを用いて使用者のタッチ動作を認識するため、所望のコンテンツデータを便利に検索することが可能になる。
【００３５】
また、本発明によれば、移動通信端末機の入力部に備えられた加速キーを用いて、所望のコンテンツデータを迅速に検索することが可能になる。
【００３６】
また、本発明によれば、移動通信端末機の入力部に備えられた検索キー及び加速キーを用いて、コンテンツスクロール速度を調節することができる。
【００３７】
また、本発明によれば、移動通信端末機の入力部に備えられた検索方向キーを用いて、コンテンツスクロール方向を簡単に設定することができる。
【００３８】
また、本発明によれば、移動通信端末機に備えられたスピーカーを用いて、検索されたコンテンツデータを音声信号に変換して外部に出力することができる。
【発明を実施するための最良の形態】
【００３９】
以下、添付の図面に基づき、本発明に係る移動通信端末機の好適な実施形態について詳細に説明する。
【００４０】
まず、図１及び図２を参照して、本発明の一実施形態による移動通信端末機を説明する。
【００４１】
本発明の一実施形態による移動通信端末機は、入力部１１０、スピーカー１２０、ディスプレイ１３０、制御部１４０及びメモリー１５０を備える。
【００４２】
入力部１１０は、移動通信端末機上部の前面２００に配置されると良い。したがって、使用者は、移動通信端末機が閉じている状態でも、入力部１１０を用いてコンテンツデータを検索できる。
【００４３】
また、入力部１１０は、使用者によるタッチまたは押下がある場合に、コンテンツデータをスクロールするための信号を発生させる機能キーを備える。
【００４４】
この機能キーは、検索キーと加速キーを備える。検索キーは、メモリー１５０に格納されている複数のコンテンツから、所望のコンテンツを検索するための検索信号を発生させる。また、加速キーは、移動通信端末機にあらかじめ設定された正常速度よりも高い速度で、メモリー１５０に格納されている複数のコンテンツから所望のコンテンツを検索するための加速信号を発生させる。ここで、正常速度は、検索キーを使用する場合に発生する。
【００４５】
さらに、入力部１１０は、使用者によるタッチまたは押下を感知するセンシング手段を備える。例えば、センシング手段は、使用者によるタッチまたは押下を感知し、特定信号を発生させるタッチパッド（Ｔｏｕｃｈ  Ｐａｄ）でありうる。この場合、入力部１１０は、タッチパッドにタッチする使用者の指または他のタッチ手段の圧力または温度を感知する。これにより、入力部１１０は、基準値以上の圧力または温度の変化が感知される場合に、それに相応するスクロール信号を発生させる。
【００４６】
また、入力部１１０は、タッチする使用者の指または他のタッチ手段の圧力または温度を感知する圧力センサーまたは温度センサーを備えても良い。この場合、入力部１１０は、感知された圧力または温度に基づいてスクロール信号を発生させる。
【００４７】
または、入力部１１０は、タッチパッドにタッチする使用者の指または他のタッチ手段による電流値、抵抗値またはキャパシタンス（Ｃａｐａｃｉｔａｎｃｅ）値の変化を感知する。これにより、基準値以上の変化が感知される場合に、入力部１１０はスクロール信号を発生させる。
【００４８】
また、センシング手段は、機能キーの底面部に配置されると良い。使用者のタッチによる圧力や熱が機能キーに加えられると、センシング手段は、使用者のタッチによる圧力や熱から使用者のタッチを認識し、それに該当するスクロール信号を発生させる。ここで、センシング手段は、機能キーの底面全体に亘って配置されても良く、底面部の一部に配置されても良い。
【００４９】
スピーカー１２０は、検索されたコンテンツデータを、音声信号に変換して外部に出力する。
【００５０】
具体的に、スピーカー１２０は、移動通信端末機の上部の前面２００または側面に配置されても良く、移動通信端末機の下部の前面または側面に配置されても良い。このスピーカー１２０は、少なくとも一つで構成される。
【００５１】
メモリー１５０は、多様なコンテンツデータを格納する。制御部１４０は、あらかじめ設定されたカテゴリー及び補助カテゴリーによって、メモリー１５０に格納される複数のコンテンツデータを分類する。例えば、制御部１４０は、カテゴリー及び該カテゴリーに属する補助カテゴリーを含む構造によって、コンテンツデータを整列する。
【００５２】
ディスプレイ１３０は、メモリー１５０から特定コンテンツデータを検索するためにスクロールされている複数のコンテンツデータ、及び制御部１４０からのスクロール信号によって検索された特定コンテンツデータを表示する。
【００５３】
例えば、スクロール信号は、特定コンテンツデータの位置情報を提供する信号、特定コンテンツデータを検索するためのスクロール方向を提供する信号、または特定コンテンツデータを検索するためのスクロール実行信号でありうる。
【００５４】
また、ディスプレイ１３０は、移動通信端末機上部の前面２００に配置されると良く、少なくとも一つからなる。
【００５５】
ディスプレイ１３０は、例えば、液晶表示装置（Ｌｉｑｕｉｄ  Ｃｒｙｓｔａｌ  Ｄｉｓｐｌａｙ；以下、‘ＬＣＤ’という。）であり、ＬＣＤには、ＳＴＮ（Ｓｕｐｅｒ  Ｔｗｉｓｔｅｄ  Ｎｅｍａｔｉｃ）ＬＣＤ及び薄膜トランジスタ（Ｔｈｉｎ  Ｆｉｌｍ  Ｔｒａｎｓｉｓｔｏｒ）ＬＣＤがある。または、ディスプレイ１３０は、有機発光（Ｏｒｇａｎｉｃ  Ｅｌｅｃｔｒｏ  Ｌｕｍｉｎｅｓｃｅｎｃｅ）素子としても良い。
【００５６】
また、ディスプレイ１３０は、スクロール信号によってスクロールされている複数のコンテンツデータを、線形に表示する。すなわち、ディスプレイ１３０は、上、下、左、右のうち少なくとも一方向に、スクロールされている複数のコンテンツデータを表示できる。
【００５７】
メモリー１５０は、各コンテンツデータに該当するデジタル音声信号を格納する。例えば、スピーカーを用いるコンテンツデータ出力機能が選択された場合に、スピーカー１２０は、検索されたコンテンツデータを音声信号に変換して外部に出力する。このとき、デジタル音声信号をアナログ音声信号に変換し、該変換されたアナログ音声信号を外部に出力できる。
【００５８】
また、例えば、検索されたコンテンツデータが、ＭＰ３ファイル形式の音楽ファイルである場合に、スピーカー１２０は、音楽ファイルをアナログ音声信号に変換して外部に出力できる。または、検索されたコンテンツデータが、動映像ファイルである場合には、スピーカー１２０は、動映像ファイルに含まれた音声信号をアナログ音声信号に変換して外部に出力できる。この際、ディスプレイ１３０は、当該動映像ファイルに含まれた映像信号を出力できる。
【００５９】
また、スピーカー１２０は、音声信号を増幅する増幅器を備えても良い。したがって、スピーカー１２０は、増幅器を用いて、検索されたコンテンツデータの音声信号を増幅して外部に出力できる。
【００６０】
以下、図３Ａを参照して、本発明によるホルダー型移動通信端末機３００について説明する。
【００６１】
ホルダー型移動通信端末機３００は、折り畳み部３０１、本体３０３、及び折り畳み部３０１と本体３０３とを結合させるヒンジ部３０５を備える。
【００６２】
折り畳み部３０１の前面２００は、入力部１１０、スピーカー１２０及びディスプレイ１３０を配備する。入力部１１０は、使用者によるタッチまたは押下を感知し、スクロール信号を発生させるセンシング手段を備える。ディスプレイ１３０は、複数のコンテンツデータがスクロールされる過程、及び検索されたコンテンツデータを表示する。スピーカー１２０は、検索されたコンテンツデータを音声信号に変換して外部に出力する。
【００６３】
したがって、折り畳み型移動通信端末機３００の折り畳み部３０１が折り畳まれた状態でも、検索されたコンテンツデータが入力部１１０によってディスプレイ１３０から表示できるほか、スピーカー１２０から音声信号として出力されることができる。
【００６４】
例えば、スピーカー１２０は、折り畳み部３０１の前面２００または側面に配置される。または、スピーカー１２０は、本体３０３の前面または側面に形成されても良い。好ましくは、スピーカー１２０は、少なくとも一つである。
【００６５】
ディスプレイ１３０もまたは、少なくとも一つからなり、折り畳み部３０１の前面と背面のいずれかに配置される。
【００６６】
次に、図３Ｂを参照して、本発明の一実施例によるスライド型移動通信端末機３５０について説明する。
【００６７】
スライド型移動通信端末機３５０は、スライダー３５１、本体３５３、及びスライダー３５１と本体３５３との間に配設され、スライダー３５１を本体３５３に対してスライディングさせるスライドユニット（ｓｌｉｄｅ  ｕｎｉｔ）を備える。
【００６８】
具体的に、スライドユニットは、図示せぬが、スライダー３５１の背面部と本体３５３の前面部との間に配される。
【００６９】
スライダー３５１の前面２００は、入力部１１０、スピーカー１２０及びディスプレイ１３０を配備する。入力部１１０は、使用者によるタッチまたは押下を感知し、スクロール信号を発生させるセンシング手段を備える。また、入力部１１０は、スライダー３５１の側面に形成されても良い。ディスプレイ１３０は、スクロールされている複数のコンテンツデータ、及び検索された特定コンテンツデータを表示する。スピーカー１２０は、検索されたコンテンツデータを音声信号に変換して外部に出力する。
【００７０】
したがって、スライダー３５１が本体３５３に対して閉じた状態でも、検索されたコンテンツデータは、入力部１１０によってディスプレイ１３０から表示できるほか、スピーカー１２０から音声信号として出力されることができる。
【００７１】
例えば、スピーカー１２０は、スライダー３５１の前面２００または側面に形成される。または、スピーカー１２０は、前記本体３５３の前面または側面に形成されても良い。好ましくは、スピーカー１２０は、少なくとも一つである。
【００７２】
ディスプレイ１３０もまた、少なくとも一つでありうる。
【００７３】
続いて、図４Ａ乃至図４Ｄを参照して、本発明による移動通信端末機の入力部の様々な実施例について説明する。
【００７４】
入力部１１０は、基本的に、検索キー４１０，４３０及び加速キー４２０を備える。加速キー４２０は、検索キー４１０の一部分として含まれることができる。または、加速キー４２０は、検索キー４１０と連結される、または、検索キー４１０に付いてあるようにしても良い。
【００７５】
検索キー４１０は、例えば、一部分が切り取られたリング形状とされ、この一部分の切り取られたリング状の両端に、加速キー４２０が形成される。
【００７６】
また、検索キー４１０，４３０は、タッチパッドまたは感知センサーを備えており、使用者によるタッチまたは押下が感知される場合に、所望のコンテンツデータを検索するためのスクロール信号を発生させることができる。したがって、移動通信端末機の使用者は、検索キー４１０，４３０にタッチした指または他のタッチ手段を、検索キー４１０，４３０から離さないことで、連続してコンテンツデータをスクロールすることができる。
【００７７】
加速キー４２０は、移動通信端末機にあらかじめ設定された正常速度よりも高い速度でコンテンツデータをスクロールするための加速信号を発生させる。また、加速キー４２０は、使用者に加速キー４２０へのタッチ感を与えるために、凹凸部材または突出部材とすると良い。
【００７８】
図４Ａを参照して、検索キー４１０，４３０、加速キー４２０及び確認キー４４０を備えた入力部１１０について説明する。
【００７９】
検索キー４１０は、上（∧）、左（＜）、右（＞）の方向キー有する。そして、検索キー４３０は、下（∨）の方向キーを有する。検索キー４１０，４３０は、所望のコンテンツデータを検索する際に、特定スクロール方向に複数のコンテンツデータをスクロールするのに使用される。そして、制御部１４０は、特定スクロール方向によって、メモリー１５０に格納されているコンテンツデータをスクロールする。スクロール方向は、上方向、下方向、左方向、右方向のうち少なくとも一つと設定されることができる。
【００８０】
例えば、コンテンツ検索方向を設定するに当たり、上から下の方向、すなわち、下方向がデフォルト（Ｄｅｆａｕｌｔ）とされている場合に、使用者による特別な操作がないと、スクロール方向は、下方向と設定される。そして、検索キー４１０の左（＜）方向キーまたは右（＞）方向キーがタッチされると、スクロール方向は、左方向または右方向に設定されることができる。なお、上または下方向にスクロールしたい場合は、検索キー４１０の上（∧）方向キーまたは下（∨）方向キー４３０をタッチし、これにより、スクロール方向は、上方向または下方向と設定される。
【００８１】
このような方法でスクロール方向が設定された場合に、右側方向に検索キー４１０の一個所から他の個所へタッチを続くことによって、設定されたスクロール方向にコンテンツデータをスクロールすることができる。一方、左側方向に検索キー４１０の一個所から他の個所へタッチを続くことによって、設定されたスクロール方向の反対方向にコンテンツデータをスクロールできる。
【００８２】
また、例えば、加速キー４２０を用いてコンテンツデータをスクロールしたい場合、使用者は、加速キー４２０を押下またはタッチする。これによって、制御部１４０は、移動通信端末機にあらかじめ設定された正常速度よりも高い速度で、メモリー１５０に格納されているコンテンツデータをスクロールできる。加速キー４２０へのタッチを除去せずに加速キー４２０をタッチし続くと、加速スクロール動作は続けて行われる。この際、加速キー４２０からタッチが除去されるか、特定キーがタッチされると、加速スクロール動作は中止される。
【００８３】
または、加速キー４２０がタッチまたは押下される場合、コンテンツデータのスクロール動作がページ単位に行われるようにしても良い。この場合、制御部１４０は、メモリー１５０に格納されているコンテンツデータを、ページ単位にスクロールする。例えば、加速キー４２０が１回タッチされると、制御部１４０は、設定されたスクロール方向に沿って現在ページから次のページに移動しながらコンテンツデータをスクロールする。
【００８４】
確認キー４４０は、使用者によってタッチまたは押下されることで、検索された特定コンテンツデータを実行するための信号を発生させる。しかし、確認キー４４０が、コンテンツデータを実行するための信号を発生させる唯一のキーというわけではない。したがって、例えば、検索キー４１０，４３０をコンテンツデータの検索位置で一定時間タッチすることによって、検索されたコンテンツデータを実行するための信号が発生することもできる。または、使用者が、コンテンツデータの検索位置で検索キー４１０，４３０からタッチを除去することによって、検索されたコンテンツデータを実行するための信号を発生させても良い。
【００８５】
図４Ｂを参照して、検索キー４１０，４３０、加速キー４２０及び検索方向キー４５０を備えた入力部１１０について説明する。
【００８６】
図４Ｂに示す検索キー４１０，４３０、加速キー４２０の機能及び動作は、図４Ａに示すものと略同一であり、ここではその詳細説明が省かれる。
【００８７】
ただし、スクロール方向を設定するに当たり、検索方向キー４５０は、上、下、左、右のうち、一つの方向が割り当てられたスクロール方向信号を発生させることができ、発生したスクロール方向信号によってスクロール方向を設定できる。
【００８８】
図４Ｃを参照して、検索キー４１０，４３０、加速キー４２０、確認キー４４０及び検索方向キー４５０を備えた入力部１１０について説明する。
【００８９】
検索キー４１０，４３０、加速キー４２０及び確認キー４４０の機能及び動作は、図４Ａに示すものと略同一であり、ここではその詳細説明が省かれる。また、検索方向キー４５０の機能及び動作は、図４Ｂに示すものと略同一であり、ここではその詳細説明が省かれる。
【００９０】
図４Ｄを参照して、複数のセンサー４６０が装着された検索キー４１０を備えた入力部１１０について説明する。複数のセンサー４６０がタッチされると、あらかじめ設定された方向に複数のコンテンツデータをスクロールするための信号が発生する。または、制御部１４０は、活性化したセンサーの数または順序に基づいて、特定方向に複数のコンテンツデータをスクロールしたり、あらかじめ設定された速度よりも高い速度で複数のコンテンツデータをスクロールすることができる。例えば、センサー４６０は、検索キー４１０の一部分または全体に亘って備えられ、一定の間隔で配置されることができる。
【００９１】
例えば、使用者が二つのセンサー４６０を連続してタッチまたは押下する場合に、一つのコンテンツデータが、あらかじめ設定された方向にスクロールされる。または、使用者が三つのセンサー４６０を連続してタッチまたは押下する場合には、二つのコンテンツデータが、あらかじめ設定された方向にスクロールされる。
【００９２】
また、センサー４６０は、複数のコンテンツデータのスクロール速度を制御するためにも使用される。例えば、使用者が一つのセンサー４６０をタッチまたは押下する場合に、コンテンツデータは、遅い速度でスクロールされる。一方、使用者が二つ以上のセンサー４６０をタッチまたは押下する場合に、コンテンツデータは、速い速度でスクロールされる。すなわち、スクロール速度は、タッチまたは押下されたセンサー４６０の個数によって決定される。
【００９３】
また、例えば、センサー４６０は、使用者にタッチ感を与えるために、凹凸部材または突出部材からなると良い。
【００９４】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。
【００９５】
便利且つ迅速にコンテンツデータを検索できる移動通信端末機を提供する。
【００９６】
折り畳み部またはスライダー、そして折り畳み部またはスライダーの表面に設けられる入力部を備える。特に、入力部は、メモリーに格納されているコンテンツデータをスクロールするための信号を発生させる少なくとも一つの機能キーを有する。
【図面の簡単な説明】
【００９７】
【図１】本発明の一実施形態による移動通信端末機の構成図である。
【図２】本発明の一実施形態による移動通信端末機を示す前面図である。
【図３Ａ】本発明による折り畳み型移動通信端末機を示す斜視図である。
【図３Ｂ】本発明によるスライド型移動通信端末機を示す斜視図である。
【図４Ａ】本発明による移動通信端末機の入力部の第１実施例を示す正面図である。
【図４Ｂ】本発明による移動通信端末機の入力部の第２実施例を示す正面図である。
【図４Ｃ】本発明による移動通信端末機の入力部の第３実施例を示す正面図である。
【図４Ｄ】本発明による移動通信端末機の入力部の第４実施例を示す正面図である。
【符号の説明】
【００９８】
１１０    入力部
１２０    スピーカー
１３０    ディスプレイ
１４０    制御部
１５０    メモリー
【図１】
2007082203.tif 000003
【図２】
2007082203.tif 000004
【図３Ａ】
2007082203.tif 000005
【図３Ｂ】
2007082203.tif 000006
【図４Ａ】
2007082203.tif 000007
【図４Ｂ】
2007082203.tif 000008
【図４Ｃ】
2007082203.tif 000009
【図４Ｄ】
2007082203.tif 000010